(57)【要約】【課題】散水器を他の物に止める動作と散水器からの放水を開始させる動作とを同時に行うことができる散水器を提供する。【解決手段】散水器１００は、ノズル１２０を有する本体１１０と、ノズルからの放水を開始または停止するためのレバー１３０と、を備える。レバーは、ノズルからの放水を停止する第一位置（実線の位置）と、ノズルからの放水を実行する第二位置（破線の位置）との間において回動可能であり、レバーは、バネ１５０により、第一位置に向かって付勢されている。レバーには本体との間に挟持対象物（例えば、バケツ）を挟持する挟持部１３２が形成されており、挟持部が本体との間に挟持対象物を挟持している間においては、ノズルは前記第二位置に維持される。【選択図】図１
2008018346.tif 000002
【特許請求の範囲】
【請求項１】
ホースが接続される本体であって、前記ホースを介して供給される水を放水するノズルを有する本体と、前記本体に取り付けられ、前記ノズルからの放水を開始または停止するためのレバーと、を備える散水器であって、
前記レバーは、前記本体の回動中心点を中心として、前記本体が含まれる平面内において、前記本体に対して回動可能であり、
前記レバーは、前記ノズルからの放水を停止する第一位置と、前記第一位置から前記本体に向かって回動した第二位置であって、前記ノズルからの放水を実行する第二位置との間において回動可能であり、
前記本体は、前記レバーを前記第一位置に向かって付勢する弾性体を備えており、
前記レバーには前記本体との間に挟持対象物を挟持する挟持部が形成されており、前記挟持部が前記本体との間に前記挟持対象物を挟持している間においては、前記ノズルは前記第二位置に維持される散水器。
【請求項２】
前記挟持部は、前記ノズルの下端の延長線上にある前記本体の部位との間において、前記挟持対象物を挟持するものであることを特徴とする請求項１に記載の散水器。
【請求項３】
前記本体には周囲よりも突出している突出部が形成されており、前記挟持部は前記突出部との間において、前記挟持対象物を挟持するものであることを特徴とする請求項１または２に記載の散水器。
【請求項４】
前記レバーには空洞が形成されており、前記空洞には、前記ノズルからの放水の開始及び停止を制御するトリガーが配置されていることを特徴とする請求項１乃至３のいずれか一項に記載の散水器。
【発明の詳細な説明】
【技術分野】
【０００１】
本発明は散水器に関する。
【背景技術】
【０００２】
水源に接続されたホースの先端に取り付け、散水を行うための道具として、散水器がある。
【０００３】
このような散水器を手に持ったままでは作業上不便なことが多いため、散水器を他の物（例えば、バケツや水槽の縁）に固定する機能を有する散水器が種々提案されている。
【０００４】
例えば、実開平２−２５０６３号公報（特許文献１）及び特開平８−６１５６２号公報（特許文献２）において提案されている散水器の先端にクリップが取り付けられている。散水器は、このクリップを介して、他の物に固定される。
【特許文献１】実開平２−２５０６３号公報
【特許文献２】特開平８−６１５６２号公報
【発明の開示】
【発明が解決しようとする課題】
【０００５】
上記の特許文献１及び２に記載されている散水器においては、散水器をクリップを介して他の物に固定した場合であっても、放水の開始及び停止は、例えば、水源としての蛇口を回してそのつど水の供給を開始または停止させる必要があった。あるいは、散水器に放水開始・停止用の制御レバーが設けられている場合には、そのつど制御レバーを操作することが必要であった。
【０００６】
このように、従来の散水器においては、ユーザーはクリップで散水器を所定の物に止める動作と、散水器からの放水を開始または停止させる動作との二つの動作を順次行う必要があった。
【０００７】
本発明はこのような従来の散水器における問題点に鑑みてなされたものであり、散水器を他の物に止める際に、散水器を他の物に止める動作と散水器からの放水を開始または停止させる動作とを同時に行うことができる散水器を提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、ホース（１４０）が接続される本体（１１０）であって、前記ホース（１４０）を介して供給される水を放水するノズル（１２０）を有する本体（１１０）と、前記本体（１１０）に取り付けられ、前記ノズル（１２０）からの放水を開始または停止するためのレバー（１３０）と、を備える散水器（１００）であって、前記レバー（１３０）は、前記本体（１１０）の回動中心点（１３１）を中心として、前記本体（１１０）が含まれる平面内において、前記本体（１１０）に対して回動可能であり、前記レバー（１３０）は、前記ノズル（１２０）からの放水を停止する第一位置と、前記第一位置から前記本体（１１０）に向かって回動した第二位置であって、前記ノズル（１２０）からの放水を実行する第二位置との間において回動可能であり、
前記本体（１１０）は、前記レバー（１３０）を前記第一位置に向かって付勢する弾性体（１５０）を備えており、前記レバー（１３０）には前記本体（１１０）との間に挟持対象物（１６１）を挟持する挟持部（１３２）が形成されており、前記挟持部（１３２）が前記本体（１１０）との間に前記挟持対象物（１６１）を挟持している間においては、前記ノズル（１２０）は前記第二位置に維持される散水器（１００）を提供する。
【００１０】
前記挟持部（１３２）は、前記ノズル（１２０）の下端の延長線上にある前記本体（１１０）の部位（１１４）との間において、前記挟持対象物（１６１）を挟持するものであることが好ましい。
【００１１】
前記本体（１１０）には周囲よりも突出している突出部（２０１）が形成されており、前記挟持部（１３２）は前記突出部（２０１）との間において、前記挟持対象物（１６１）を挟持するものであることが好ましい。
【００１２】
前記レバー（１３０）には空洞が形成されており、前記空洞には、前記ノズル（１２０）からの放水の開始及び停止を制御するトリガー（３１０）が配置されていることが好ましい。
【発明の効果】
【００１３】
本発明に係る散水器によれば、散水器を挟持対象物（例えば、バケツの外縁）に止めると同時に、ノズルからの放水が開始される。すなわち、散水器を挟持対象物に止める際に、散水器を挟持対象物に止める動作と散水器のノズルからの放水を開始させる動作とを同時に行うことが可能になる。
【００１４】
このため、従来の散水器のように、散水器を挟持対象物に止める動作と散水器からの放水を開始させる動作とを別々に行う必要はなく、散水作業の効率を向上させることが可能である。
【発明を実施するための最良の形態】
【００１５】
（第一の実施形態）
図１は本発明の第一の実施形態に係る散水器１００の平面図である。
【００１６】
本発明の第一の実施形態に係る散水器１００は、散水器本体１１０と、ノズル１２０と、レバー１３０と、を備えている。
【００１７】
散水器本体１１０は、ユーザーが散水器本体１１０を把持する把手部１１１と、ホースが接続されるホース接続部１１２と、ノズル１２０が取り付けられるノズル取り付け口１１３と、を備えている。
【００１８】
ホース接続部１１２にはホース１４０が接続される。ホース１４０は一端においてホース接続部１１２を介して散水器本体１１０に接続されているとともに、他端において水源（例えば、水道の蛇口）に接続されている。水源からの水はホース１４０を介して散水器本体１１０に供給される。
【００１９】
ノズル取り付け口１１３にはノズル１２０が取り付けられている。水源からホース１４０を介して散水器本体１１０に供給された水は散水器本体１１０の内部を通過した後、ノズル１２０の先端の開口から外部に放出される。
【００２０】
レバー１３０はノズル１２０からの放水の開始または停止を制御するために用いられる。
【００２１】
レバー１３０は、回動中心軸１３１を中心として散水器本体１１０が含まれる平面内において散水器本体１１０に対して回動可能であるように、散水器本体１１０に取り付けられている。
【００２２】
具体的には、レバー１３０は、第一位置（図１における実線の位置）と第二位置（図１における破線の位置）との間（正確には、第一位置と、第二位置を越えた位置との間）を回動可能である。第一位置はレバー１３０を付勢していないときの位置であり、第二位置は第一位置から散水器本体１１０に向かってレバー１３０を付勢したときの位置である。
【００２３】
レバー１３０が第一位置にあるときには、ノズル１２０からの放水は停止し、レバー１３０が第二位置にあるときには、ノズル１２０からの放水が行われる。
【００２４】
散水器本体１１０の内部には弾性体としてのバネ１５０が組み込まれており、バネ１５０はレバー１３０を第一位置に向かって付勢している。このため、レバー１３０に力が作用していない状態においては（すなわち、ユーザーがレバー１３０を握り込んでいない場合には）、レバー１３０は常に第一位置に位置している。
【００２５】
レバー１３０の先端には挟持部１３２が形成されている。挟持部１３２は、レバー１３０が第一位置にある場合において、散水器本体１１０のノズル取り付け口１１３に隣接する散水器本体１１０の部位１１４、あるいは、ノズル１２０の下端１２１の延長線上にある散水器本体１１０の部位１１４に向かって、上方に延びており、散水器本体１１０の部位１１４と接触するようになっている。
【００２６】
後述するように、散水器本体１１０の部位１１４と挟持部１３２との間に、例えば、バケツの縁が挟持される。
【００２７】
散水器本体１１０の部位１１４と挟持部１３２との間に挟持対象物（例えば、バケツの縁）が挟持された状態においては、レバー１３０は回動中心軸１３１を中心として第一位置から第二位置へ回動し、第二位置に維持される。
【００２８】
図２は本実施形態に係る散水器１００の使用状況を示す平面図である。
【００２９】
図２に示すように、本実施形態に係る散水器１００を挟持対象物であるバケツ１６０の外縁１６１に止めようとする場合には、ユーザーは片手で把手１１１を持った状態でレバー１３０を握り込む。これにより、レバー１３０は回動中心軸１３１を中心として第一位置から第二位置を越えた位置へ回動する。この結果、挟持部１３２は散水器本体１１０の部位１１４から離脱し、挟持部１３２と散水器本体１１０の部位１１４との間には空間が形成される。
【００３０】
次いで、バケツ１６０の外縁１６１を挟持部１３２と散水器本体１１０の部位１１４との間に形成された空間の内部に導き、レバー１３０を握る力を徐々に弱めることにより、レバー１３０はバネ１５０の付勢力により徐々に逆向きに回動し、挟持部１３２と散水器本体１１０の部位１１４との間にバケツ１６０の外縁１６１が挟持される。
【００３１】
この状態においては、レバー１３０は第二位置に位置している。このため、ノズル１２０からはバケツ１６０の内部に放水が行われている。
【００３２】
以上のように、本実施形態に係る散水器１００によれば、散水器１００を挟持対象物（例えば、バケツ１６０の外縁１６１）に止めると同時に、ノズル１２０からの放水が開始される。すなわち、散水器１００を挟持対象物に止める際に、散水器１００を挟持対象物に止める動作と散水器１００のノズル１２０からの放水を開始させる動作とを同時に行うことが可能になる。
【００３３】
このため、従来の散水器のように、散水器を挟持対象物に止める動作と散水器からの放水を開始させる動作とを別々に行う必要はなく、散水作業の効率を向上させることが可能である。
【００３４】
なお、本実施形態に係る散水器１００は上記の構造に限定されるものではなく、種々の変更が可能である。
【００３５】
例えば、挟持部１３２が接触する散水器本体１１０の部位１１４はノズル取り付け口１１３に隣接する部位であるが、挟持部１３２が散水器本体１１０の他の位置にある部位と接触するように形成することも可能である。
【００３６】
また、本実施形態に係る散水器１００においては、挟持部１３２が散水器本体１１０の部位１１４との間にバケツ１６０の外縁１６１を挟持しているときに、レバー１３０が第二位置にあり、ノズル１２０からの放水が行われるものとしたが、これとは逆に、挟持部１３２が散水器本体１１０の部位１１４との間にバケツ１６０の外縁１６１を挟持しているときに、レバー１３０が第二位置にあり、ノズル１２０からの放水が停止するものとすることも可能である。
【００３７】
また、本実施形態に係る散水器１００においては、挟持部１３２は散水器本体１１０の部位１１４に向かって延びている形状として形成されているが、挟持部１３２の形状はこれには限定されない。散水器本体１１０のいずれかの部位との間に挟持対象物を挟持し得る形状である限りにおいては、挟持部１３２は任意の形状を取ることができる。
【００３８】
（第二の実施形態）
図３は本発明の第二の実施形態に係る散水器２００の平面図である。
【００３９】
本発明の第二の実施形態に係る散水器２００においては、散水器本体１１０の部位１１４には、部位１１４の周囲よりも突出している突出部２０１が形成されており、挟持部１３２は、突出部２０１との間において、挟持対象物（例えば、図２に示したバケツ１６０の外縁１６１）を挟持する。
【００４０】
突出部２０１が形成されている点を除いて、本発明の第二の実施形態に係る散水器２００は本発明の第一の実施形態に係る散水器１００と同一の構造を有している。
【００４１】
本実施形態に係る散水器２００によれば、突出部２０１に挟持部１３２が接触することになるため、ユーザーは挟持部１３２が接触することとなる散水器本体１１０の部位を容易に確認することができる。
【００４２】
（第三の実施形態）
図４は本発明の第三の実施形態に係る散水器３００の平面図である。
【００４３】
本発明の第三の実施形態に係る散水器３００においては、レバー１３０には空洞（図示せず）が形成されており、この空洞には、トリガー３１０が配置されている。
【００４４】
トリガー３１０が形成されている点を除いて、本発明の第三の実施形態に係る散水器３００は本発明の第一の実施形態に係る散水器１００と同一の構造を有している。
【００４５】
トリガー３１０は、レバー１３０によるノズル１２０からの放水の開始及び停止の制御に優先して、ノズル１２０からの放水の開始及び停止を制御する。
【００４６】
すなわち、レバー１３０が第一位置にある場合であっても、トリガー３１０を付勢することにより、ノズル１２０からの放水を開始することができる。また、レバー１３０が第二位置にある場合であっても、トリガー３１０を付勢することにより、ノズル１２０からの放水を停止することができる。
【００４７】
このため、本実施形態に係る散水器３００によれば、図２に示したように、挟持部１３２と散水器本体１１０の部位１１４との間にバケツ１６０の外縁１６１を挟持した場合であっても、必要に応じて、トリガー３１０を付勢することにより、ノズル１２０からの放水を停止させることができる。
【図面の簡単な説明】
【００４８】
【図１】本発明の第一の実施形態に係る散水器の平面図である。
【図２】本発明の第一の実施形態に係る散水器の使用状況を示す平面図である。
【図３】本発明の第二の実施形態に係る散水器の平面図である。
【図４】本発明の第三の実施形態に係る散水器の平面図である。
【符号の説明】
【００４９】
１００  本発明の第一の実施形態に係る散水器
１１０  散水器本体
１１１  把手
１１２  ホース接続部
１１３  ノズル取り付け口
１１４  挟持部が接触する部位
１２０  ノズル
１３０  レバー
１３１  回動中心軸
１３２  挟持部
１４０  ホース
１５０  バネ
１６０  バケツ
１６１  バケツの外縁
２００  本発明の第二の実施形態に係る散水器
２０１  突出部
３００  本発明の第三の実施形態に係る散水器
３１０  トリガー
【図１】
2008018346.tif 000003
【図２】
2008018346.tif 000004
【図３】
2008018346.tif 000005
【図４】
2008018346.tif 000006